(57)【要約】【課題】良好な冷却を行うことができかつ高い空間利用効率を有するラック型光伝送装置の提供。【解決手段】ラックケース７の前面と側面とのうちの一方に、ケース外からケース内に送風する送風器６Ａ、６Ｂを設け、他方に、ケース内からケース外に送風する送風器６Ｃを設ける。光伝送ユニット２を構成する部品と電源ユニット５Ａ、５Ｂを構成する部品とのなかで発熱するものを、両送風器６Ａ、６Ｂ、６Ｃによりラックケース７内に形成される冷却風流路上に配置する。【選択図】        図１
2006253301.tif 000002
【特許請求の範囲】
【請求項１】
キャビネットにキャビネット前面から挿抜自在に装着可能なラックケースを有し、このラックケースに、光伝送ユニットとこの光伝送ユニットに電力を供給する電源ユニットとを収納してなるラック型光伝送装置であって、
前記ラックケースの前面と側面とのうちの一方に、ケース外からケース内に送風する送風器を設け、他方に、ケース内からケース外に送風する送風器を設け、
前記光伝送ユニットを構成する部品と前記電源ユニットを構成する部品とのなかで発熱するものを、前記両送風器により前記ラックケース内に形成される冷却風流路上に配置する、
ことを特徴とするラック型光伝送装置。
【請求項２】
請求項１記載のラック型光伝送装置であって、
前記送風器を前記ラックケースにケース前面から挿抜可能に取り付ける、
ことを特徴とするラック型光伝送装置。
【発明の詳細な説明】
【技術分野】
【０００１】
本発明は、キャビネットに挿抜可能に組み込まれるラック型の光伝送装置に関する。
【背景技術】
【０００２】
ラック型光伝送装置は、光伝送ユニットと、光伝送ユニットに電力を供給する電源ユニットとを備えており、一般に、複数のラック型光伝送装置が上下に並列配置されてキャビネットに収納されている。ラック型光伝送装置では、内装している冷却ファンにより吸引した外気で各ユニットの発熱部位を冷却した後、冷却に使用した外気を外部に排出している。ラック型光伝送装置では、外気をラック前面から後方に抜けるよう、あるいは、上下に抜けるように、その外気取り込み構成が構成されている（例えば、特許文献１参照）。
【特許文献１】特開２００４−３３３０５５号公報
【発明の開示】
【発明が解決しようとする課題】
【０００３】
冷却風がラック前面から後方に抜けるように構成したものでは、ラック型光伝送装置の背部に冷却風流動用の空間を確保しておくために、ラック型光伝送装置を収容するキャビネットが奥行きの深い大型のものとなるものであった。また、冷却風が上下に抜けるよう構成したものでは、ラック型光伝送装置の上方および下方に冷却風流動用の空間を必要とするので、複数のラック型光伝送装置を上下に並べてキャビネットに収容する場合に、各装置を空隙を空けて上下に配置する必要があり、キャビネット内へ複数の装置を高密度で収容することができなくなるものであった。
【０００４】
本発明は、このような実情に着目してなされたものであって、良好な冷却を行うことができるものでありながらラック型光伝送装置を高い空間利用効率でキャビネットに収容することができるようにすることを目的とする。
【課題を解決するための手段】
【０００５】
上記目的を達成するために、本発明は  キャビネットにキャビネット前面から挿抜自在に装着可能なラックケースを有し、このラックケースに、光伝送ユニットとこの光伝送ユニットに電力を供給する電源ユニットとを収納してなるラック型光伝送装置において、次のように構成する。
【０００６】
すなわち、前記ラックケースの前面と側面とのうちの一方に、ケース外からケース内に送風する送風器を設け、他方に、ケース内からケース外に送風する送風器を設ける。前記光伝送ユニットを構成する部品と前記電源ユニットを構成する部品とのなかで発熱するものを、前記両送風器により前記ラックケース内に形成される冷却風流路上に配置する。
【０００７】
なお、前記送風器を前記ラックケースに対してその前面から挿抜可能に支持するのが好ましい。また、前記発熱するものの例としては、前記電源ユニットの電源コイルやスイッチング素子、さらには、光伝送ユニットの励起光源等が例として挙げられる。
【０００８】
この構成によると、ラックケースの前面と側面とのうちの一方に設けられた送風器の送風機能によってケース内に流入した冷却風は、他方に設けられた送風器の送風機能によってケース外に流出する。その際、光伝送ユニットを構成する部品と電源ユニットを構成する部品とのなかで発熱するものが、冷却風により確実に冷却される。このような空冷機構の構成においては、ラック型光伝送装置の背面外側や上下面の外側に冷却風流動用の空間をあけておく必要はない。従って、複数のラック型光伝送装置をキャビネットに上下に並べて収容する場合、各ラック型光伝送装置を、上下並びに前後に隙間無く配備収容することができる。
【０００９】
なお、一般にキャビネットに収容されるラック型光伝送装置は左右一対の支持枠に支持されるものであり、収容されたラック型光伝送装置の左右横側とキャビネット側板との間には支持枠などの構造物を配備するための空隙が存在しており、この空隙が送風器のケース外側送風空間として流用できる。
【００１０】
なお、前記送風器は、終日稼動されており、ラック型光伝送装置を構成する各部品の中で最も故障の生じやすい部品の一つである。そこで、前記送風器を、ラックケースの前面から挿抜可能に構成すれば、電源ユニットおよび光伝送ユニットを稼働させたままで送風器だけを選択的にラックケースの前面から抜き出して点検整備や修理などを行うことができる。
【発明の効果】
【００１１】
このように、本発明によれば、ラック型光伝送装置の背後や上下に冷却風流動用の空間を形成しておく必要がないので、良好な冷却を行うことができるものでありながらラック型光伝送装置を高い空間利用効率でキャビネットに収容することができるようになった。
【発明を実施するための最良の形態】
【００１２】
図１に、本発明に係るラック型光伝送装置１の全体外観が、図２にその正面が、図３にその平面が、また、図３および図４にその左右側面がそれぞれ示されている。
【００１３】
このラック型光伝送装置１は、上下左右に配列した複数（この例では８個）の光伝送ユニット（このユニットはＥＤＦＡ（光増幅装置）を含んでいる）２と、１個の通信ユニット３と、空きスペースを埋める１個のブランクパネル４と、各光伝送ユニット２に電力を供給する２個の電源ユニット５Ａ、５Ｂと、計３個の送風器６Ａ、６Ｂ、６Ｃとを備える。これらの部品は箱形に構成されたラックケース７に、その前面から着脱自在に差込み収容して構成されている。
【００１４】
送風器６Ａは電源ユニット５Ａに一体化しており、これらは一つのユニット構造１０Ａを構成している。ただし、送風器６Ａは、電源ユニット５Ａの前面パネルに対して、ネジにより着脱自在に取り付けられている。同様に、送風器６Ｂは電源ユニット５Ｂに一体化しており、これらは一つのユニット構造１０Ｂを構成している。ただし、送風器６Ｂは、電源ユニット５Ｂの前面パネルに対して、ネジにより着脱自在に取り付けられている。
【００１５】
ユニット構造１０Ａ（送風器６Ａ、電源ユニット５Ａ）と、ユニット構造１０Ｂ（送風器６Ｂ、電源ユニット５Ｂ）とは、ラックケース７の最底部に並列配置されて、ラックケース７に収納されている。さらに、各ユニット構造１０Ａ、１０Ｂは、ラックケース７の前面から挿抜可能にラックケース７に装着されている。
【００１６】
通信ユニット３とブランクパネル４とは、ユニット構造１０Ａ、１０Ｂの上部に並列配置されて、ラックケース７に収納されている。さらに、通信ユニット３とブランクパネル４とは、ラックケース７の前面から挿抜可能となるように、ネジによってラックケース７に装着されている。
【００１７】
光伝送ユニット２は、横２列、縦４列で列配置されており、通信ユニット３、ブランクパネル４の上部とラックケース７の上面との間に並列配置されて、ラックケース７に収納されている。さらに、各光伝送ユニット２は、ラックケース７の前面から挿抜可能となるように、ネジによってラックケース７に装着されている。
【００１８】
ラックケース７の右端面と、ユニット構造１０Ａ、ブランクパネル４、および光伝送ユニット２との間には、ケース底面からケース上面にわたる縦向きの隙間があり、ラックケース７内のこの隙間に送風器６Ｃが収納されている。送風器６Ｃは、ラックケース７の前面から挿抜可能となるように、ネジによってラックケース７に装着されている。
【００１９】
ラックケース７の前面の左右端部には取付用のアングル部材８が備えられており、このアングル部材８がキャビネット９（図２参照）に備えられた左右の支持枠１０に差込支持されるとともに、アングル部材８の前面に設けた取っ手１１を持ってラック型光伝送装置１を支持枠１０に対してキャビネット前面から挿抜することができるようになっている。
【００２０】
各電源ユニット５Ａ、５Ｂは電源回路装置を備える。送風器６Ａ、６Ｂはラックケース７の前後方向に沿う軸心で回転駆動されて、冷却風をラックケース７内に取り込む冷却ファン１２が内装されている。また、送風器６Ａ、６Ｂは外気取り入れ用の吸気口１３をユニット前面に有する。さらに、送風器６Ａ、６Ｂは、電源ユニット５とその上に配備された光伝送ユニット２群とに対して上下に通気可能に連通されている。
【００２１】
なお、ユニット構造１０Ａ、１０Ｂそれぞれの前面には左右一対の取っ手１４が備えられており、各ユニット構造１０Ａ、１０Ｂを独立してラックケース７に前面から挿抜することができるようになっている。
【００２２】
送風器６Ｃのラックケース７の左右方向に沿う軸心で回転駆動されて、冷却風をラックケース７外に排出する２台の冷却ファン１５が内装されている。また、送風器６Ｃは、冷却排風を排出する排気口１６がラックケース７の右外側面に有する。排気口１６は、ラックケース７の右側面に形成された開口１７に臨設されている。また、送風器６Ｃと光伝送ユニット２群とは左右に通気可能に連通されている。送風器６Ｃの前面には、取っ手１８が備えられており、送風器６Ｃをラックケース７に前面から挿抜することができるようになっている。
【００２３】
ラックケース７における左側面には、光伝送ユニット２に連通するスリット状の吸気口１９が多数形成されており、これら吸気口１９からも外気を光伝送ユニット２に取り込み可能となっている。
【００２４】
本発明に係るラック型光伝送装置１は以上のように構成されており、送風器６Ａ、６Ｂが有するラックケース前面の吸気口１３から吸引された冷却風は、電源ユニット５の発熱部位（電源コイルやスイッチング素子等）を冷却した後、光伝送ユニット２に導かれてその発熱部位（励起光源等）を冷却し、送風器６Ｃを経て横側面の排気口１６から強制排出され、ラック型光伝送装置１とキャビネット９の右側面との間の空間に流出してゆく。ラック型光伝送装置１には、送風器６Ａ、６Ｂ、６Ｃを設けることで、このような冷却風流路αが形成される。
【００２５】
また、ラックケース７の左側面に形成された吸気口１９から導入された冷却風は、光伝送ユニット２を横断流動して送風器６に吸引され、排気口１６から強制排出されてゆく。
【００２６】
キャビネット９に収容するラック型光伝送装置１の台数は任意であり、複数台のラック型光伝送装置１を収容する場合、冷却風の流動用空間を光伝送装置の背部や上下に形成しておく必要がないので、各ラック型光伝送装置１は隙間なく上下に積層して支持枠１０に装着することができる。
【００２７】
さらには、送風器６Ａ、６Ｂ、６Ｃは終日稼動されるため、ラック型光伝送装置１の中で最も故障が生じやすい部材であり、故障等が生じて点検するために送風器６Ａ、６Ｂ、６Ｃをラック型光伝送装置１から取り出す必要が生じることがある。この場合であっても、送風器６Ａ、６Ｂ、６Ｃをラックケース７の前面に着脱自在に取り付けているので、他の部材（光伝送ユニット３等）の運転を停止することなく、送風器６Ａ、６Ｂ、６Ｃだけを、選択的にラック型光伝送装置１から取り出すことができる。
【実施例】
【００２８】
本発明は、以下のような形態で実施することもできる。
【００２９】
（１）１台のラック型光伝送装置１に装備する光伝送ユニット２の数は任意であり、光伝送ユニット２が少ない場合には電源ユニット５は１台でもよい。なお、単一の電源ユニットを設ける場合の故障を対処可能とするためには、予備的に複数の電源を設けるのが好ましい。上述した実施の形態では、このことを鑑みて、２つの電源ユニット５Ａ、５Ｂが設けられている。
【００３０】
（２）ラックケース７における左側面の吸気口１９は省略して実施することができる。
【００３１】
（３）ラックケース７側面の送風器６Ｃから冷却風をラックケース７内に取り込み、ラックケース前面の送風器６Ａ、６Ｂから冷却風をラックケース７外に排出してもよい。
【図面の簡単な説明】
【００３２】
【図１】本発明の一実施形態のラック型光伝送装置の外観斜視図。
【図２】実施の形態のラック型光伝送装置の正面図。
【図３】実施の形態のラック型光伝送装置の平面図。
【図４】実施の形態のラック型光伝送装置の右側面図。
【図５】実施の形態のラック型光伝送装置の左側面図。
【符号の説明】
【００３３】
２              光伝送ユニット
５              電源ユニット
６              送風器
７              ラックケース
１３            吸気口
１６            排気口
１９            吸気口
【図１】
2006253301.tif 000003
【図２】
2006253301.tif 000004
【図３】
2006253301.tif 000005
【図４】
2006253301.tif 000006
【図５】
2006253301.tif 000007